(57)【要約】【課題】胴部に水が浸入しにくい鮎タイツの提供。【解決手段】鮎タイツの胴部４は、左腹部１０、右腹部１２、ジップファスナー１６、面ファスナー１８及びパイピングテープ２０を有している。ジップファスナー１６は、左テープ２４、右テープ２６、多数の左エレメント２８、多数の右エレメント３０、スライダー３２及びつまみ３４を有している。左エレメント２８は、右エレメント３０と噛み合いうる。このジップファスナー１６は、左腹部１０と右腹部１２とを連結しうる。面ファスナー１８は、ループ片４０とフック片４２とを有している。フック片４２は、ループ片４０と接合しうる。この面ファスナー１８は、左腹部１０と右腹部１２とに架け渡されうる。スライダー３２の下方への移動は、面ファスナー１８によって阻止されうる。【選択図】図２
2018115406.tif 000002
【特許請求の範囲】
【請求項１】
胴部と一対の脚部とを備えており、
上記胴部が、左腹部と、右腹部と、この左腹部と右腹部とを連結しうるジップファスナーと、この左腹部と右腹部とに架け渡されうる面ファスナーとを有する釣り用タイツ。
【請求項２】
上記ジップファスナーがスライダーを有しており、
上記面ファスナーがループ片とフック片とを有しており、
上記スライダーが引き上げられ、かつ上記フック片が上記ループ片と接合した状態において、上記スライダーの下方への移動が上記面ファスナーによって阻止されうる請求項１に記載の釣り用タイツ。
【請求項３】
上記フック片が、表側面及び裏側面を有するベースシートと、この表側面の上に存在する複数のフックとを有しており、かつこの裏側面の上に存在するフックを有しておらず、
上記フック片が、その表側面同士が部分的に重ねられうるように折り返された状態で左腹部又は右腹部に接合されている請求項１又は２に記載の釣り用タイツ。
【発明の詳細な説明】
【技術分野】
【０００１】
本発明は、鮎等をターゲットとする釣り人が水中に入って釣りを行うときに着用する、タイツに関する。
【背景技術】
【０００２】
鮎の友釣りでは、釣り人は、川の中で釣りを行う。川には、水流がある。釣り人は、水圧を受けつつ、釣りを行う。友釣りでは、釣り人は、伸縮性に優れた生地からなるタイツを着用する。このタイツは、鮎タイツと称されている。鮎タイツは、釣り人の体にフィットする。従って、この鮎タイツを着用した釣り人が受ける水の力は、小さい。鮎タイツの一例が、特開２０１２−１２７０２７公報に開示されている。
【０００３】
一般的な鮎タイツは、胴部と一対の脚部とを有している。この胴部は、右腹部、左腹部及びジップファスナーを有している。ジップファスナーは、右腹部と左腹部との間に位置しており、スライダーを有している。スライダーが引き上げられることで、ジップファスナーが締められる。
【０００４】
ジップファスナーが締まった状態では、胴部が釣り人の体にフィットする。さらに、ジップファスナーが締まった状態では、胴部の中への水の流入が抑制される。従って釣り人は、快適に釣りを行うことができる。
【先行技術文献】
【特許文献】
【０００５】
【特許文献１】特開２０１２−１２７０２７公報
【発明の概要】
【発明が解決しようとする課題】
【０００６】
釣り人が、ジップファスナーのスライダーを十分には引き上げない状態で、釣りを行うことがある。釣り人がジップファスナーのスライダーを十分に引き上げていても、釣りの途中で、スライダーが徐々にずり落ちることもある。スライダーが本来の位置にないとき、右腹部と左腹部との間に隙間が生じる。この隙間から、胴部に水が流入することがある。前述の通り、川には水流があるので、胴部に急に多量の水が浸入しうる。この浸入は、釣りの妨げである。
【０００７】
本発明の目的は、胴部に水が浸入しにくい釣り用タイツの提供にある。
【課題を解決するための手段】
【０００８】
本発明に係る釣り用タイツは、胴部と一対の脚部とを備える。この胴部は、左腹部と、右腹部と、この左腹部と右腹部とを連結しうるジップファスナーと、この左腹部と右腹部とに架け渡されうる面ファスナーとを有する。
【０００９】
ジップファスナーは、スライダーを有しうる。面ファスナーは、ループ片とフック片とを有しうる。好ましくは、スライダーが引き上げられ、かつフック片がループ片と接合した状態において、スライダーの下方への移動が面ファスナーによって阻止されうる。
【００１０】
フック片は、表側面及び裏側面を有するベースシートと、この表側面の上に存在する複数のフックとを有しうる。フック片は、裏側面の上には、フックを有していない。好ましくは、フック片は、その表側面同士が部分的に重ねられうるように折り返された状態で、左腹部又は右腹部に接合される。
【発明の効果】
【００１１】
本発明に係る釣り用タイツでは、ジップファスナーのスライダーが本来の位置にないときでも、胴部に水が流入することが面ファスナーによって抑制されうる。釣り人は、快適に釣りを行うことができる。
【図面の簡単な説明】
【００１２】
【図１】図１は、本発明の一実施形態に係る釣り用タイツが示された斜視図である。
【図２】図２は、図１の釣り用タイツの一部が示された拡大図である。
【図３】図３は、図２のIII−III線に沿った拡大断面図である。
【図４】図４は、図３の釣り用タイツの面ファスナーが示された、模式的な拡大断面図である。
【図５】図５は、図１の釣り用タイツの一部が示された拡大図である。
【発明を実施するための形態】
【００１３】
以下、適宜図面が参照されつつ、好ましい実施形態に基づいて本発明が詳細に説明される。
【００１４】
図１に示された釣り用タイツ２は、主として鮎釣りに使用される。このタイツ２は、「鮎タイツ」と称されている。この鮎タイツ２は、胴部４、左脚部６及び右脚部８を有している。この鮎タイツ２が釣り人に着用されたとき、胴部４、左脚部６及び右脚部８は、それぞれ、釣り人の胴、左脚及び右脚を覆う。
【００１５】
図２は、鮎タイツ２の一部が示された拡大図である。図３は、図２のIII−III線に沿った拡大断面図である。図２及び３には、胴部４が示されている。胴部４は、左腹部１０、右腹部１２、背部１４（図１参照）、ジップファスナー１６、面ファスナー１８及びパイピングテープ２０を有している。背部１４は、左腹部１０と右腹部１２との間に位置しており、両者をつないでいる。鮎タイツ２が、パイピングテープ２０を有さない胴部４を備えてもよい。
【００１６】
左腹部１０は、軟質なシートから形成されている。好ましくは、左腹部１０は、多数の気泡を含むポリマー成形体である。このポリマー成形体の典型的な基材ポリマーは、ポリクロロプレンである。好ましくは、左腹部１０は、多数の独立気泡を含む。図示されていないが、左腹部１０の表側は表地によって覆われている。表地の典型的な材質は、ジャージー生地である。図示されていないが、左腹部１０の裏側は裏地によって覆われている。裏地の典型的な材質は、ジャージー生地である。
【００１７】
図３に示されるように、左腹部１０の端の近傍は、パイピングテープ２０で覆われている。このパイピングテープ２０は、糸２２によって左腹部１０に縫い付けられている。パイピングテープ２０は、左腹部１０の端の近傍を保護する。
【００１８】
右腹部１２は、軟質なシートから形成されている。好ましくは、右腹部１２は、多数の気泡を含むポリマー成形体である。このポリマー成形体の典型的な基材ポリマーは、ポリクロロプレンである。好ましくは、右腹部１２は、多数の独立気泡を含む。図示されていないが、右腹部１２の表側は表地によって覆われている。表地の典型的な材質は、ジャージー生地である。図示されていないが、右腹部１２の裏側は裏地によって覆われている。裏地の典型的な材質は、ジャージー生地である。
【００１９】
図３に示されるように、右腹部１２の端の近傍は、パイピングテープ２０で覆われている。このパイピングテープ２０は、糸２２によって右腹部１２に縫い付けられている。パイピングテープ２０は、右腹部１２の端の近傍を保護する。
【００２０】
ジップファスナー１６は、左テープ２４、右テープ２６、多数の左エレメント２８、多数の右エレメント３０、スライダー３２及びつまみ３４を有している。
【００２１】
左テープ２４は、糸３６によって左腹部１０に縫い付けられている。本実施形態では、左テープ２４の材質は、布である。それぞれの左エレメント２８は、左テープ２４の端に固定されている。多数の左エレメント２８が、左テープ２４の端にそって列状に並んでいる。左エレメント２８の材質は、金属又は硬質合成樹脂である。
【００２２】
右テープ２６は、糸３８等によって右腹部１２に縫い付けられている。本実施形態では、右テープ２６の材質は、左テープ２４の材質と同様、布である。それぞれの右エレメント３０は、右テープ２６の端に固定されている。多数の右エレメント３０が、右テープ２６の端にそって列状に並んでいる。右エレメント３０の材質は、左エレメント２８の材質と同様、金属又は硬質合成樹脂である。
【００２３】
スライダー３２は、左腹部１０と右腹部１２との間に位置している。つまみ３４は、スライダー３２に連結されている。釣り人は、つまみ３４をつまんで移動させる。この移動により、スライダー３２がスライドする。スライダー３２が図２の上方向にスライドすることにより、左エレメント２８と右エレメント３０との噛合が達成される。噛合により、左腹部１０が右腹部１２と近接する。換言すれば、左腹部１０と右腹部１２とが、ジップファスナー１６によって連結される。スライダー３２が図２の下方向にスライドすることにより、左エレメント２８と右エレメント３０との噛合が解除される。解除により、左腹部１０が右腹部１２から離れる。
【００２４】
図４は面ファスナー１８が示された、模式的な拡大断面図である。この面ファスナー１８は、ループ片４０とフック片４２とを有している。図４には、二点鎖線にて、右腹部１２に縫い付けられたパイピングテープ２０も示されている。
【００２５】
ループ片４０は、ベースシート４４と多数のループ４６とを有している。ベースシート４４は、表側面４８及び裏側面５０を有している。それぞれのループ４６は、表側面４８の上に存在している。ループ４６は、ベースシート４４と一体とされている。
【００２６】
フック片４２は、ベースシート５２と多数のフック５４とを有している。ベースシート４４は、表側面５６及び裏側面５８を有している。それぞれのフック５４は、表側面５６の上に存在している。フック５４は、表側面５６から起立している。フック５４の一端は、ベースシート５２と一体とされている。ベースシート５２の裏側には、フック５４は存在していない。
【００２７】
フック片４２は、コーナー６０において折り返されている。この折り返しにより、フック片４２に下側部６２と上側部６４とが形成されている。上側部６４は、第一上側部６４ａと第二上側部６４ｂとに区別されうる。
【００２８】
図３に示されるように、面ファスナー１８は左腹部１０と右腹部１２とに架け渡されている。ループ片４０は糸６６によって右腹部１２に縫い付けられており、フック片４２は糸３６によって左腹部１０に縫い付けられている。ループ片４０が左腹部１０に縫い付けられ、フック片４２が右腹部１２に縫い付けられてもよい。
【００２９】
図３では、フック片４２はほぼ完全に折られている。従って、第一上側部６４ａは下側部６２と当接しており、第二上側部６４ｂはループ片４０と当接している。換言すれば、フック片４２は、その表側面５６同士が部分的に重ねられうるように、折り返されている。
【００３０】
図示されていないが、図３に示された状態では、第二上側部６４ｂのフック５４はループ片４０のループ４６と係合している。この係合により、フック片４２がループ片４０と接合されている。換言すれば、面ファスナー１８を介して、左腹部１０が右腹部１２と接合されている。
【００３１】
図３及び４に示される通り、右腹部１２を覆うパイピングテープ２０は、フック片４２の裏側面５８と当接している。前述の通り、この裏側面５８には、フック５４が存在していない。従って、パイピングテープ２０は、フック５４と擦れ合わない。この鮎タイツ２では、フック５４によるパイピングテープ２０（又は右腹部１２）の傷つき（又は毛羽立ち）が生じない。
【００３２】
この鮎タイツ２が着用されるときは、まずフック片４２がループ片４０から剥がされる。次に、スライダー３２が下方へとスライドさせられる。このスライドにより、左エレメント２８と右エレメント３０との噛合が解除される。これらの動作により、胴部４がゆるめられる。ゆるんだ状態の胴部４が、図５に示されている。この状態で釣り人は、左脚を左脚部６（図１参照）に、右脚を右脚部８に、そして胴体を胴部４に挿入する。釣り人は、つまみ３４をつまんでスライダー３２を上方にスライドさせる。さらに釣り人は、フック片４２をループ片４０に接合する。これらの動作により、図２に示された状態が達成される。
【００３３】
図２に示された状態では、スライダー３２が面ファスナー１８に当接している。つまみ３４は、面ファスナー１８よりも、紙面垂直方向手前に位置している。この状態では、スライダー３２の下方へのスライドが、面ファスナー１８によって阻止される。この状態で釣り人が長時間の釣りを行っても、途中でスライダー３２が下方にずれることが生じない。従って、左腹部１０と右腹部１２との間に隙間が生じない。隙間が無いので、胴部４に急激に水が浸入することがない。釣り人は、快適に釣りを行うことができる。
【００３４】
釣り人がスライダー３２を途中までしか上げずに、水中に入ることもある。この場合でも、面ファスナー１８によって左腹部１０が右腹部１２に接合されているので、胴部４に急激に水が浸入することがない。釣り人は、快適に釣りを行うことができる。
【産業上の利用可能性】
【００３５】
本発明に係る釣り用タイツは、鮎以外の種々の魚がターゲットとされた釣りにも適している。
【符号の説明】
【００３６】
２・・・鮎タイツ
４・・・胴部
６・・・左脚部
８・・・右脚部
１０・・・左腹部
１２・・・右腹部
１６・・・ジップファスナー
１８・・・面ファスナー
２０・・・パイピングテープ
２４・・・左テープ
２６・・・右テープ
２８・・・左エレメント
３０・・・右エレメント
３２・・・スライダー
４０・・・ループ片
４２・・・フック片
４６・・・ループ
５４・・・フック
６２・・・下側部
６４・・・上側部
６４ａ・・・第一上側部
６４ｂ・・・第二上側部
【図１】
2018115406.tif 000003
【図２】
2018115406.tif 000004
【図３】
2018115406.tif 000005
【図４】
2018115406.tif 000006
【図５】
2018115406.tif 000007